(57)【要約】【課題】外部ウェブサーバの最新コンテンツをコミュニティホームページに挿入することで、コミュニティホームページを通じて最新情報を使用者に提供すること。【解決手段】コミュニティホームページに外部ウェブサーバから提供されるコンテンツを挿入する方法が開示される。コミュニティホームページの管理者がコミュニティホームページに挿入を所望する関心コンテンツに対する検索語または検索カテゴリを設定し、設定された検索語または検索カテゴリ情報は既に設定されているコンテンツウェブサーバ２０２，２０４，２０６に転送される。コンテンツウェブサーバは検索語または検索カティゴリに相応するコンテンツを抽出し、抽出されたコンテンツ情報はコンテンツウェブサーバからコミュニティサーバ２００に転送される。コミュニティサーバは検索結果情報をＨＴＭＬフォーマットに変換してコミュニティホームページに挿入する。【選択図】図３
2010134943.tif 000002
【特許請求の範囲】
【請求項１】
コミュニティホームページに外部ウェブサーバから提供されるコンテンツを挿入する方法であって、
コミュニティホームページに挿入する外部サービス掲示板を設定できるウェブページを提供する段階において、前記外部サービス掲示板のリストはデータベースに保存されている段階（ａ）と、
前記段階（ａ）から提供されるウェブページを通じて、設定された外部掲示板に対する情報を要請する関心コンテンツ要請情報を生成する段階（ｂ）と、
前記関心コンテンツ要請情報を、外部掲示板を提供する少なくとも一つのウェブサーバに転送する段階（ｃ）と、
前記関心コンテンツ要請情報を受信した少なくとも一つのウェブサーバから前記外部掲示板の最新掲示物情報を受信し保存する段階（ｄ）と、
使用者がコミュニティホームページを要請する時、前記段階（ａ）で設定された、管理者の設定した情報を参照して前記段階（ｄ）で保存された情報のうち、管理者の設定した情報に相応する掲示物情報を選択する段階（ｅ）と、及び
前記選択された掲示物情報を既に設定されているデータフォーマットに変換してコミュニティホームページに挿入する段階（ｆ）と、
を含むことを特徴とするコミュニティホームページに外部ウェブサーバから提供されるコンテンツを挿入する方法。
【請求項２】
前記外部掲示板に対するサービスを提供するウェブサーバの住所情報が、データベースまたはサーバメモリに保存されていることを特徴とする請求項１に記載のコミュニティホームページに外部ウェブサーバから提供されるコンテンツを挿入する方法。
【請求項３】
前記ウェブサーバは前記外部掲示板の最新掲示物情報をＸＭＬフォーマットに変換して転送することを特徴とする請求項１に記載のコミュニティホームページに外部ウェブサーバから提供されるコンテンツを挿入する方法。
【請求項４】
前記ウェブサーバから受信された最新掲示物情報は、サーバメモリに常駐されて、既に設定されている時間間隔で更新されることを特徴とする請求項１に記載のコミュニティホームページに外部ウェブサーバから提供されるコンテンツを挿入する方法。
【請求項５】
前記段階（ｆ）の掲示物の選択時、既に設定されているか、または管理者により設定された掲示物の情報が挿入される窓の大きさに適するように掲示物の個数及びフィールドが選択されてＨＴＭＬフォーマットに変換されることを特徴とする請求項１に記載のコミュニティホームページに外部ウェブサーバから提供されるコンテンツを挿入する方法。
【請求項６】
前記関心コンテンツ要請情報は、コミュニティ管理者が設定した掲示板の固有アイディ情報を含むことを特徴とする請求項１に記載のコミュニティホームページに外部ウェブサーバから提供されるコンテンツを挿入する方法。
【請求項７】
コミュニティホームページに外部ウェブサーバから提供されるコンテンツを挿入するために行われる命令語の組合せが類型的に具現されており、電子情報処理装置により判読できるプログラムを記録した記録媒体であって、
コミュニティホームページに挿入する外部サービス掲示板を設定できるウェブページを提供する段階において、前記外部サービス掲示板のリストはデータベースに保存されている段階（ａ）と、
前記段階（ａ）から提供されるウェブページを通じて設定された外部掲示板に対する情報を要請する関心コンテンツ要請情報を生成する段階（ｂ）と、
前記関心コンテンツ要請情報を、外部掲示板を提供する少なくとも一つのウェブサーバに転送する段階（ｃ）と、
前記関心コンテンツ要請情報を受信した少なくとも一つのウェブサーバから前記外部掲示板の最新掲示物情報を受信し保存する段階（ｄ）と、
使用者がコミュニティホームページを要請する時、前記段階（ａ）で設定された、管理者の設定した情報を参照して前記段階（ｄ）で保存された情報のうち、管理者の設定した情報に相応する掲示物情報を選択する段階（ｅ）と、及び
前記選択された掲示物情報を既に設定されているデータフォーマットに変換してコミュニティホームページに挿入する段階（ｆ）と、
を行うことを特徴とするプログラムを記録した記録媒体。
【発明の詳細な説明】
【技術分野】
【０００１】
本発明は、オンラインコミュニティサービスに関するもので、さらに詳細には、コミュニティを通じて多様な情報を提供するサービスに関する。
【背景技術】
【０００２】
インターネットの使用が増大されることにより、趣味、学術、地域、親睦などのような一定した共通関心事を媒介として使用者同士が集まりを形成するコミュニティサービスが活性化されている。
【０００３】
コミュニティサービスは、その性格に応じて会員間の親睦を図ったり、専門的な情報を習得するなど多様に活用できたり、コミュニティの形態は様々に変化し続けている趨勢である。
【０００４】
このようなコミュニティのホームページは、コミュニティの会員の中の一人である管理者により作られることが一般的であって、コミュニティサービス提供者は、管理者にコミュニティメニュー、ホームページ画面などを構成できる権限を与えている。また、コミュニティの重要な情報である掲示物またはファイルは、コミュニティ会員が直接作成したり、アップロードする。
【０００５】
よって、コミュニティホームページは会員が直接参加して作成したりアップロードした資料だけでなされることが一般的であって、コミュニティホームページから会員が作成した資料以外の情報は見ることができないという問題点がある。例えば、特定芸能人のファンクラブコミュニティである場合、該当する芸能人のニュース記事は非常に有用な情報であるが、このようなニュース情報を会員の中の一人が直接アップロードしない限り、コミュニティホームページを通じて当該ニュース記事を見ることができなかった。
【発明の開示】
【発明が解決しようとする課題】
【０００６】
本発明は、上述の問題点を解決するために案出されたものであって、本発明は、コミュニティホームページに、会員が作成した資料以外にも外部のウェブサーバから提供されるサービスコンテンツを挿入して会員に提供できる方法を提案する。
【０００７】
また、本発明は各コミュニティの特性に適する外部のウェブサーバのサービスコンテンツを、コミュニティホームページを通じて会員に提供できる方法を提案する。
【０００８】
また、本発明は外部ウェブサーバの最新コンテンツをコミュニティホームページに挿入することで、コミュニティホームページを通じて最新情報を使用者に提供できる方法を提案する。
【課題を解決するための手段】
【０００９】
本発明の一実施形態によれば、コミュニティホームページに外部ウェブサーバから提供されるコンテンツを挿入する方法であって、検索語及び検索カテゴリの設定できるウェブページを提供する段階（ａ）と、上記段階（ａ）から提供されるウェブページを通じて設定された検索語及び検索カテゴリ情報を含む関心コンテンツ要請情報を生成する段階（ｂ）と、上記関心コンテンツ要請情報を少なくとも一つの該当するウェブサーバに転送する段階（ｃ）と、上記関心コンテンツ要請情報を受信した少なくとも一つのウェブサーバから上記検索語及び検索カテゴリに相応する検索結果情報を受信して保存する段階（ｄ）と、使用者からのコミュニティホームページの要請がある時、上記検索結果情報を既に設定されているデータフォーマットに変換してコミュニティホームページに挿入する段階（ｅ）と、を含むコミュニティホームページに外部ウェブサーバから提供されるコンテンツを挿入する方法が提供される。
【００１０】
上記関心コンテンツ要請情報は、コミュニティのアイディ情報及び外部コンテンツが挿入される窓の大きさの情報をさらに含むことができる。
【００１１】
上記ウェブサーバは、上記関心コンテンツ要請情報に含まれている検索カテゴリ及び検索語に応じて検索を行い、検索結果をＸＭＬ文書に変換して転送することが好ましい。
【００１２】
上記関心コンテンツ要請情報に窓の大きさの情報が含まれている場合、上記ウェブサーバは、上記窓の大きさに適するように検索結果の個数及びフィールド情報を選択して、ＸＭＬ文書に変換することが好ましい。
【００１３】
上記ウェブサーバから受信される検索結果情報は、サーバメモリに常駐され、上記既に設定されている時間間隔で更新されることが好ましい。
【００１４】
上記ウェブサーバが、挿入される窓の大きさを考慮しないで検索結果情報を転送した場合、上記段階（ｅ）は既に設定されているか、または管理者により設定された窓の大きさに適するように検索結果の個数及びフィールドを選択し、ＨＴＭＬフォーマットに変換することが好ましい。
【００１５】
本発明の別の実施形態によれば、コミュニティホームページに外部ウェブサーバから提供されるコンテンツを挿入する方法であって、コミュニティホームページに挿入する外部サービス掲示板の設定できるウェブページを提供する段階において、上記設定できる外部サービス掲示板のリストはデータベースに保存されている段階（ａ）と、上記段階（ａ）から提供されるウェブページを通じて設定された外部掲示板に対する情報を要請する関心コンテンツ要請情報を生成する段階（ｂ）と、上記関心コンテンツ要請情報を、外部掲示板を提供する少なくとも一つのウェブサーバに転送する段階（ｃ）と、上記関心コンテンツ要請情報を受信した少なくとも一つのウェブサーバから上記掲示板の最新掲示物情報を受信し保存する段階（ｄ）と、使用者からのコミュニティホームページの要請がある時、上記段階（ａ）で設定された管理者の設定した情報を参照して上記段階（ｄ）で保存された情報の中から管理者の設定した情報に相応する掲示物情報を選択する段階（ｅ）と、及び上記選択された掲示物情報を既に設定されたデータフォーマットに変換してコミュニティホームページに挿入する段階（ｆ）と、を含むコミュニティホームページに外部ウェブサーバから提供されるコンテンツを挿入する方法が提供される。
【００１６】
上記外部掲示板に対するサービスを提供するウェブサーバの住所情報は、データベースまたはサーバメモリに保存されていることが好ましい。
【００１７】
上記ウェブサーバは、掲示板の最新掲示物情報をＸＭＬフォーマットに変換して転送することが好ましい。
【００１８】
上記ウェブサーバから受信される最新掲示物情報は、サーバメモリに常駐されて、上記既に設定されている時間間隔で更新されることが好ましい。
【００１９】
上記段階（ｆ）において、掲示物の選択時、既に設定されているか、または管理者により設定された掲示物の情報が、挿入される窓の大きさに適するように掲示物の個数及びフィールドが選択されてＨＴＭＬフォーマットに変換されることが好ましい。
【００２０】
本発明のさらに別の実施形態によれば、コミュニティホームページに外部ウェブサーバから提供されるコンテンツを挿入するために行われる命令語の組合せが類型的に具現されており、電子情報処理装置により判読できるプログラムを記録した記録媒体であって、
コミュニティホームページに挿入する外部サービス掲示板の設定できるウェブページを提供する段階において、上記設定できる外部サービス掲示板のリストはデータベースに保存されている段階（ａ）と、上記段階（ａ）から提供されるウェブページを通じて設定された外部掲示板に対する情報を要請する、関心コンテンツ要請情報を生成する段階（ｂ）と、上記関心コンテンツ要請情報を、外部掲示板を提供する少なくとも一つのウェブサーバに転送する段階（ｃ）と、上記関心コンテンツ要請情報を受信した少なくとも一つのウェブサーバから上記掲示板の最新掲示物情報を受信し保存する段階（ｄ）と、使用者からのコミュニティホームページの要請がある時、上記段階（ａ）で設定された管理者の設定した情報を参照して上記段階（ｄ）で保存された情報の中から管理者の設定した情報に相応する掲示物情報を選択する段階（ｅ）と、及び上記選択された掲示物情報を既に設定されているデータフォーマットに変換してコミュニティホームページに挿入する段階（ｆ）と、を行うプログラムを記録した記録媒体が提供される。
【００２１】
本発明のさらに別の実施形態によれば、コミュニティホームページに外部ウェブサーバから提供されるコンテンツを挿入するために行われる命令語の組合せが類型的に具現されており、電子情報処理装置により判読できるプログラムを記録している記録媒体であって、検索語及び検索カテゴリの設定できるウェブページを提供する段階（ａ）と、上記段階（ａ）から提供されるウェブページを通じて設定された検索語及び検索カテゴリ情報を含む関心コンテンツ要請情報を生成する段階（ｂ）と、上記関心コンテンツ要請情報を少なくとも一つの該当するウェブサーバに転送する段階（ｃ）と、上記関心コンテンツ要請情報を受信した少なくとも一つのウェブサーバから上記検索語及び検索カテゴリに相応する検索結果情報を受信して保存する段階（ｄ）と、使用者からのコミュニティホームページの要請がある時、上記検索結果情報を既に設定されているデータフォーマットに変換してコミュニティホームページに挿入する段階（ｅ）と、を行うプログラムを記録した記録媒体が提供される。
【図面の簡単な説明】
【００２２】
【図１】本発明の方法により外部サービスウェブサーバのコンテンツがコミュニティホームページに挿入された一例を示す図面である。
【図２】コミュニティホームページに挿入されるコンテンツの一例を示す図面である。
【図３】本発明の好ましい一実施形態によるコミュニティホームページに、外部サービスコンテンツを挿入するシステムモデルを示す図面である。
【図４】関心コンテンツを設定するために管理者に提供されるコミュニティホームページ管理ウェブページの一例を示す図面である。
【図５】関心コンテンツを設定するために管理者に提供されるコミュニティホームページ管理ウェブページのさらに別の例を示す図面である。
【図６】本発明の好ましい一実施形態による既に設定されている関心コンテンツ要請情報を転送する過程の順序図である。
【図７】本発明の一実施形態による管理者の設定情報に相応して関心コンテンツ要請情報を生成する過程の順序図である。
【図８】本発明の一実施形態による関心コンテンツ要請情報のパケット構造を示す図面である。
【図９】本発明の別の実施形態による関心コンテンツ要請情報のパケット構造を示す図面である。
【図１０】本発明のさらに別の実施形態による関心コンテンツ要請情報のパケット構造を示す図面である。
【図１１】本発明のさらに別の実施形態による関心コンテンツ要請情報のパケット構造を示す図面である。
【図１２】本発明の一実施形態による関心コンテンツ情報を抽出してコミュニティサーバに提供する過程の順序図である。
【図１３】本発明の別の実施形態による関心コンテンツ情報を抽出してコミュニティサーバに提供する過程の順序図である。
【図１４】本発明の好ましい一実施形態によるウェブサーバから変換されるＸＭＬフォーマットの一例を示す図面である。
【図１５】本発明の好ましい一実施形態によるウェブサーバから変換されるＸＭＬフォーマットの一例を示す図面である。
【図１６】管理者の設定情報を参照しないで関心コンテンツを要請した場合の関心コンテンツデータをコミュニティホームページに挿入する過程に対する順序図である。
【図１７】管理者の設定情報を参照して関心コンテンツを要請した場合の関心コンテンツデータをコミュニティホームページに挿入する過程に対する順序図である。
【図１８】本発明の好ましい一実施形態によるコミュニティサーバのモジュール構成を示すブロック図である。
【図１９】本発明の好ましい一実施形態によるコンテンツウェブサーバのモジュール構成を示すブロック図である。
【発明を実施するための形態】
【００２３】
以下、本発明の好ましい実施形態に対して、添付した図面を参照して詳しく説明する。添付された図面に示された実施形態は、単に本発明を説明するためのものであって、本発明の思想及び権利の範囲を実施形態及びこれに相応する説明に限定するものではない。
【００２４】
＜１．発明の概要及びシステムモデル＞
本発明の好ましい実施形態によれば、コミュニティに係る外部サービスウェブサーバのコンテンツをコミュニティホームページに挿入して提供する方法及びシステムに対する技術的解決方法が提示される。コミュニティは、インターネット使用者たちの関心事別に使用者が集まって結成されるオンライン団体であるため、各コミュニティごとに固有の関心事がある。コミュニティは地域、芸能人ファンクラブ、エンタテインメント、学術など多様な関心事を媒介として使用者たちにより自発的に作られる。
【００２５】
コミュニティは固有の関心事を媒介として作られるので、ホームページにコミュニティに係る外部サービスコンテンツをともにディスプレイする場合、使用者たちはコミュニティホームページから関心事に該当する情報を容易に得ることができる。ここで、コミュニティホームページに挿入される外部サービスコンテンツは、時間に応じて流動的に変わるコンテンツであり、使用者たちは、当該サービスのウェブサーバのホームページを訪問しなくても、コミュニティホームページを訪問することだけでコミュニティの情報と当該サービスウェブサーバが提供する情報とを同時に確認することができる。
【００２６】
コミュニティホームページに挿入するコンテンツは、コミュニティの関心事別に多様に設定できる。
【００２７】
一例で、健康関連コミュニティである場合、健康関連掲示板のＱ＆Ａ内容の一部をホームページに挿入することができる。健康関連Ｑ＆Ａ掲示板の内容が更新される場合、コミュニティホームページに挿入されるコンテンツも更新される。
【００２８】
別の例で、特定芸能人に対するファンクラブコミュニティである場合、当該芸能人をキーワードとするニュース検索結果を挿入することもできる。さらに別の例で、金融情報関連コミュニティである場合、現在の株価情報をコミュニティホームページに挿入することもできる。
【００２９】
このように、コミュニティに挿入されるコンテンツは、外部サービスウェブサーバの掲示物内容、特定キーワードに対する検索結果、外部サービスウェブサーバが提供する最新情報など多様に設定できるし、使用者がコミュニティホームページを要請する時、要請する時点での最新コンテンツをホームページに挿入して使用者クライアントに提供する。
【００３０】
図１は、本発明の方法により外部サービスウェブサーバのコンテンツがコミュニティホームページに挿入された一例を示す図面である。
【００３１】
図１に示すように、コミュニティホームページの右側下端に外部サービスウェブサーバの掲示物コンテンツが挿入されて使用者に提供される。図２は、コミュニティホームページに挿入されるコンテンツの一例を示す図面であって、コミュニティ管理者が、最近はやっている話が挿入されるように設定した場合、図２のような形態の窓が図１の下端の挿入コンテンツ領域に挿入される。
【００３２】
図３は、本発明の好ましい一実施形態によるコミュニティホームページに、外部サービスコンテンツを挿入するシステムモデルを示す図面である。
【００３３】
図３に示すように、本発明の一実施例によるシステムは、コミュニティサーバ２００、複数のコンテンツウェブサーバ２０２、２０４、２０６、及びコミュニティデータベース２０８を含むことができ、コミュニティホームページを要請する使用者クライアント２１０はネットワークを通じて本発明のシステムを構成するサーバなどに繋がる。
【００３４】
図３において、コミュニティサーバ２００は、各コミュニティの管理者からコミュニティホームページに挿入する外部コンテンツの設定情報を受信して管理する。各コミュニティ別にコミュニティ管理者は、コミュニティの性格に適する、挿入する外部コンテンツを設定することができ、コミュニティサーバはこのような設定情報を管理する。
【００３５】
また、コミュニティサーバ２００は、外部コンテンツをホームページの一部分に挿入するために、外部のウェブサーバなどにコンテンツを要請し保存する。以下では、コミュニティサーバ２００が外部ウェブサーバに要請するコンテンツを関心コンテンツと称する。コミュニティサーバ２００は、管理者が多様な種類のコンテンツをコミュニティに挿入できるように、複数のコンテンツウェブサーバ２０２、２０４及び２０６に関心コンテンツを要請する。外部ウェブサーバのコンテンツがリアルタイムに近くコミュニティ使用者に提供できるように、コミュニティサーバ２００は既に設定された時間間隔で、例えば、５分間隔で関心コンテンツ要請情報を複数のコンテンツウェブサーバ２０２、２０４及び２０６に転送する。
【００３６】
また、コミュニティサーバ２００は外部ウェブサーバから関心コンテンツ情報を受信し、使用者がコミュニティホームページを要請する時、受信した関心コンテンツを既に設定されている部分に挿入して使用者に提供する。本発明の好ましい実施形態によれば、外部コンテンツをコミュニティホームページに迅速に挿入して使用者に提供するために、コミュニティサーバ２００は受信した関心コンテンツ情報をコミュニティサーバ２００のメモリに常駐させて、使用者がコミュニティホームページを要請する時にメモリに常駐されているデータを用いて関心コンテンツの挿入されたコミュニティホームページを提供する。
【００３７】
コンテンツウェブサーバ２０２、２０４及び２０６は、コミュニティサーバから関心コンテンツ要請情報を受信し、要請されたコンテンツ情報を既に設定されているフォーマットに変換してコミュニティサーバ２００に提供する。
【００３８】
コンテンツウェブサーバ２０２、２０４及び２０６は、多様な種類のコンテンツを提供するウェブサーバである。例えば、ウェブサーバは金融関連コンテンツを提供するウェブサーバ、学術関連コンテンツを提供するウェブサーバ、検索サービスを提供するウェブサーバなどのように掲示物データ、または検索のように所定のプロセスを行ってコンテンツを提供するウェブサーバを含むことができる。
【００３９】
本発明は、コミュニティサービス及び検索または掲示物データなどをともに提供するポータルサイトで有用に活用でき、ポータルサイトは管理しているサービスウェブサーバとコミュニティサーバとの間の通信方法を設定し、ウェブサーバによって管理されるコンテンツがコミュニティホームページの一部に容易に挿入されるようにすることができる。
【００４０】
コンテンツウェブサーバ２０２、２０４及び２０６は、コミュニティサーバから転送される関心コンテンツ要請情報を分析して、要請されたコンテンツに該当するデータをデータベースから抽出したり、所定のプロセスを行って、要請されたコンテンツデータを出力する。本発明の好ましい実施形態によれば、コンテンツウェブサーバ２０２、２０４及び２０６は、抽出または出力されたデータをＸＭＬフォーマットに変換する。ＸＭＬフォーマットとは、フィールドに応ずるテキストデータを管理し易くするフォーマットであって、本発明に有用に活用できるが、ウェブサーバのデータ変換フォーマットがＸＭＬに限定されることではない。データ変換の後、コンテンツウェブサーバ２０２、２０４及び２０６は変換されたコンテンツデータをコミュニティサーバ２００に転送する。
【００４１】
コミュニティデータベース２０８には、通常のコミュニティサービスをするための情報が保存される。例えば、開設されたコミュニティ情報、コミュニティに加入した会員及び各会員の個人情報などがコミュニティデータベース２０８に保存されることができる。
【００４２】
＜２．挿入する関心コンテンツを管理者が設定する方式に対する実施形態＞
【００４３】
本発明は、コミュニティホームページに挿入する外部サービスコンテンツを、管理者がコミュニティ管理ウェブページから設定できるようにする。
【００４４】
図４は関心コンテンツを設定するために管理者に提供されるコミュニティ管理ウェブページの一例を示す図面である。
【００４５】
図４に示すように、コミュニティ管理ウェブページには、コミュニティホームページに挿入できる掲示板の種類が羅列されて、一部掲示板の場合はカテゴリを設定して関心コンテンツを要請できるようにすることもできる。
【００４６】
管理者は、提供された掲示板リストの中の一つを選択して、コミュニティホームページの一部分に挿入する関心コンテンツを選択することができる。
【００４７】
コミュニティ管理ウェブページに提供される掲示板のリスト、すなわち、管理者がコミュニティホームページに挿入のために選択することができる掲示板のリストは、既にコミュニティデータベースに保存されており、コミュニティサーバはコミュニティデータベースに保存されている情報を抽出してコミュニティ管理ウェブページを構成し、これを管理者に提供する。
【００４８】
図５は、関心コンテンツを設定するために管理者に提供されるコミュニティ管理ウェブページのさらに別の例を示す図面である。
【００４９】
図４は、掲示板のように、別のウェブサーバのデータベースに既に保存されているコンテンツを別途の処理をしないでコミュニティホームページに挿入する場合の、管理者設定インタフェースを示す図面であり、図５は、検索プロセスを経た後に出力されるデータをコミュニティホームページに挿入する場合の、管理者設定インタフェースを示す図面である。
【００５０】
図５に示すように、検索結果をコミュニティホームページに挿入する場合には、検索カテゴリを選択し、検索キーワードの入力できるインタフェースが管理者に提供される。
【００５１】
コミュニティホームページが芸能人のファンクラブである場合、管理者は検索カテゴリをニュースに限定し、検索キーワードを当該芸能人の名前にすることで、コミュニティホームページに接続ごとに、当該芸能人に係る最新ニュースがアップデートされて使用者に提供されるようにすることができる。
【００５２】
図４及び図５のような管理者設定インタフェースが一つのウェブページに提供されて、管理者が掲示物コンテンツまたは検索コンテンツの中の一つをコミュニティホームページに挿入するコンテンツとして選択することもできるということは当業者にとって自明なことである。
【００５３】
図４及び図５には示されていないが、外部サービスコンテンツの挿入位置及び挿入される窓の大きさを調節できるインタフェースが追加的に提供されることもでき、管理者の設定情報に応じて外部サービスコンテンツの表示される位置及び大きさの多様化されたコミュニティホームページが使用者に提供されることもできる。
【００５４】
＜３．関心コンテンツ要請情報を生成する方法に対する実施形態＞
コミュニティサーバは、既に設定されているか、または管理者の設定情報に応じて、流動的な関心コンテンツ要請情報を生成してウェブサーバに転送する。以下では、その詳細な実施例を説明する。
【００５５】
（１）既に設定された関心コンテンツ要請情報を生成する場合
【００５６】
本発明の一実施形態によれば、コミュニティサーバは管理者の設定情報にかかわらず、既に設定されている関心コンテンツ要請情報を生成してウェブサーバに要請することができる。このような実施形態は、掲示物データのようにウェブサーバデータベースに既に保存されているデータのみを関心コンテンツとして挿入する場合に適用できる。掲示物データのようにウェブサーバに既に保存されているデータのみを関心コンテンツとして挿入する場合、管理者の設定情報を考慮して関心コンテンツ要請情報を生成することは非効率的であるので、予め要請形式を設定して周期的にウェブサーバに要請するほうが好ましい。
【００５７】
図６は、本発明の好ましい一実施形態による、既に設定されている関心コンテンツ要請情報を転送する過程の順序図である。
【００５８】
図６を参照すると、段階Ｓ４００で、関心コンテンツ要請情報をウェブサーバなどに要請する時間であるかの可否を判断する。上述のように、コミュニティサーバは、アップデートされた最新のコンテンツがコミュニティホームページに挿入できるように、既に設定されている時間間隔で関心コンテンツ要請情報をウェブサーバに転送する。
【００５９】
関心コンテンツ要請情報を転送する時間である場合、段階Ｓ４０２で、コミュニティサーバはデータベースの情報を用いて関心コンテンツに該当する掲示板の固有アイディを判断する。データベースには挿入できる掲示板のリスト及び各掲示板の固有アイディ情報が保存されている。
【００６０】
関心コンテンツに該当する掲示板の固有アイディを判断した後、段階Ｓ４０４で、コミュニティサーバは、当該掲示物データを要請するウェブサーバの住所情報を判断する。コミュニティサーバには、各掲示板の固有アイディとウェブサーバ住所とをマッチングさせるモジュールが含まれてもよいし、上記マッチングモジュールは各掲示板のアイディに相応する住所情報を出力する。これと異なって、掲示板の固有アイディと、これに相応するウェブサーバ住所情報とがデータベースにともに保存されてもよい。
【００６１】
掲示板の固有アイディ情報及び各掲示板のコンテンツを要請するウェブサーバ住所情報がすべて確認されると、段階４０６で、上記掲示板の固有アイディ情報及びウェブサーバ住所情報を含む関心コンテンツ要請情報を生成する。複数の掲示板のコンテンツからコミュニティホームページに挿入することになるので、関心コンテンツ要請情報は複数個生成される。
【００６２】
コミュニティサーバは関心コンテンツ要請情報を生成した後、段階Ｓ４０８で、各関心コンテンツ要請情報に相応するウェブサーバにこれを転送する。
【００６３】
図６では、関心コンテンツ要請情報を生成する過程を順次に記述したが、実際のシステムに適用する際には、各掲示板の固有アイディに対する関心コンテンツ要請情報を予め設定して、各更新時間ごとに、既に設定されている関心コンテンツ要請情報を転送する方式で運営されることもできる。
【００６４】
（２）管理者の設定情報に相応して関心コンテンツ要請情報を生成する場合
【００６５】
図６の実施例とは異なって、管理者の設定情報に相応してコミュニティホームページ別に関心コンテンツ要請情報が生成されることもできる。この場合、ウェブサーバデータベースに、既に保存されているデータだけではなく、ウェブサーバが所定のプロセスを行った後に出力するデータもコミュニティホームページに挿入されることができる。
【００６６】
図７は、本発明の一実施形態による管理者の設定情報に相応して関心コンテンツ要請情報を生成する過程に対する順序図である。
【００６７】
図７を参照すると、段階Ｓ５００で、図６のように関心コンテンツを更新する時間であるかの可否を判断する過程が行われる。
【００６８】
関心コンテンツを更新する時間である場合、段階Ｓ５０２で、各コミュニティホームページの管理者設定情報を確認する。
【００６９】
段階Ｓ５０４で、管理者が、掲示板のように既に保存されているコンテンツを挿入するように設定した場合、段階Ｓ５０６で、コミュニティサーバは当該掲示板の固有アイディ情報を読む。掲示板の固有アイディ情報はデータベースに保存されることができ、データベースを通じて、管理者が設定した掲示板の固有アイディを読むことができる。
【００７０】
管理者によって設定された掲示板の固有アイディを読んだ後、段階Ｓ５０８で、当該掲示板サービスを提供するウェブサーバの住所情報を判断する。上述のように、ウェブサーバの住所情報は、データベースに掲示板の固有アイディと連関されて保存されてもよいし、別途のウェブサーバ住所マッチングモジュールを通じてウェブサーバの住所情報が出力されてもよい。
【００７１】
管理者が、検索のように、ウェブサーバが所定のプロセスを行った後に出力されるコンテンツを設定した場合、段階Ｓ５１０で、コミュニティサーバは管理者が設定した検索カテゴリ及びキーワードを読む。また、段階Ｓ５１２で、検索が要請される検索サーバの住所情報を判断する。
【００７２】
段階Ｓ５１４で、コミュニティサーバは、上記段階Ｓ５０６乃至Ｓ５１２の過程を通じて抽出した情報を用いて関心コンテンツ要請情報を生成する。生成する関心コンテンツ要請情報は、各コミュニティホームページ別に生成されるものであって、コミュニティアイディ情報がヘッダに含まれてもよい。段階Ｓ５１６で、生成された関心コンテンツ要請情報は当該ウェブサーバに転送される。
【００７３】
（３）関心コンテンツ要請情報のパケット構造
図８は、本発明の一実施形態による関心コンテンツ要請情報のパケット構造を示す図面である。
【００７４】
図８に示すように、本発明の一実施形態による関心コンテンツ要請情報は、識別コード６００と掲示板の固有アイディ６０２と住所情報６０４とをヘッダ情報として含むことができる。図８のようなパケット構造は、図６の場合のように管理者の設定情報にかかわらず、挿入できる関心コンテンツを予め決めておいて、当該関心コンテンツのみを、既に設定された時間間隔で要求する場合のパケット構造である。
【００７５】
図９は、本発明の別の実施形態による関心コンテンツ要請情報のパケット構造を示す図面である。
【００７６】
図９には、図８に比して窓の大きさの情報が追加的にヘッダに含まれる。窓の大きさの情報は、後の関心コンテンツ要請情報を受信したウェブサーバが抽出するコンテンツのサイズを決定するところに用いられることができる。これに対しては後で詳しく説明する。
【００７７】
図１０は、本発明のさらに別の実施形態による関心コンテンツ要請情報のパケット構造を示す図面であって、図８に比してコミュニティアイディ情報が追加的にヘッダに含まれている。このようなパケット構造は、図７の実施例のように各コミュニティホームページ別に関心コンテンツ要請情報が生成される場合のパケット構造であり、どのコミュニティホームページの要請情報であるかを識別するために、コミュニティアイディ情報がパケットに含まれる。
【００７８】
図１１は、本発明のさらに別の実施形態による関心コンテンツ要請情報のパケット構造を示す図面であって、図１０に比して窓の大きさの情報が追加的にパケットのヘッダに含まれる。窓の大きさの情報は、図９のように、ウェブサーバから抽出するコンテンツのサイズを決める要素として用いられる。
【００７９】
図１０及び図１１において、管理者が掲示板情報ではなく検索結果を関心コンテンツとして設定した場合には、掲示板の固有アイディの代わりに検索カテゴリ及び検索キーワード情報が含まれてもよい。
【００８０】
＜４．サービスウェブサーバから関心コンテンツ情報を抽出し転送する方式に対する実施形態。＞
（１）既に保存されているデータを抽出して転送する場合
図１２は、本発明の一実施形態による関心コンテンツ情報を抽出してコミュニティサーバに提供する過程に対する順序図である。
【００８１】
図１２を参照すると、まずウェブサーバは、段階Ｓ７００で、コミュニティサーバから関心コンテンツ要請情報を受信する。ウェブサーバは転送された関心コンテンツ要請情報に含まれているヘッダ情報を通じて、受信されたパケットがコミュニティホームページに挿入する関心コンテンツを要請するパケットであることを確認する。
【００８２】
段階Ｓ７０２で、関心コンテンツを要請するパケットであることを確認した後、ウェブサーバはパケットのヘッダ情報を通じて、どの掲示板のコンテンツを要請しているのかを確認する。
【００８３】
段階Ｓ７０４で、ウェブサーバは、要請する掲示板に該当する掲示物データをデータベースから抽出する。
【００８４】
本発明の一実施形態によれば、データベースから抽出する掲示物の個数は既に設定されており、既に設定されている個数の掲示物データをデータベースから抽出する。一般的に掲示物は複数のフィールド、例えば、番号、題目、作成者、作成日付などを含んでいるが、関心コンテンツは制限された窓に表示されるので、すべてのフィールドのデータを抽出する必要はなく、掲示物の個数だけではなく抽出する掲示物データのフィールドも既に設定されてもよい。
【００８５】
本発明の別の実施形態によれば、関心コンテンツ要請情報に窓の大きさの情報が含まれている場合、抽出する掲示物データフィールド及び個数をウェブサーバが調節して抽出することもできる。上述のように、管理者は関心コンテンツの挿入される窓の大きさを調節することもでき、管理者が設定した窓の大きさの情報は関心コンテンツ要請情報に含まれてウェブサーバに転送される。ウェブサーバは所定の選択アルゴリズムまたは窓の大きさに応ずるマッチングテーブルなどを用いて、抽出する掲示物フィールド及び個数を選択することもできる。
【００８６】
要請された掲示物データが抽出された後、段階Ｓ７０６で、ウェブサーバは抽出されたデータをＸＭＬフォーマットに変換する。上述のように、特定フィールド別にテキストデータを管理する場合にはＸＭＬフォーマットを用いることが好ましい。
【００８７】
図１４及び図１５は、本発明の好ましい一実施形態によるウェブサーバから変換されるＸＭＬフォーマットの一例を示す図面である。
【００８８】
図１４及び図１５に示すように、図１４は、ニュース掲示板データをＸＭＬフォーマットに変換した例であり、図１５は、はやっている話の掲示板のデータをＸＭＬフォーマットに変換した例である。
【００８９】
図１４及び図１５に示すように、ＸＭＬデータは掲示物のカテゴリ、掲示物の題目、各掲示物の題目に相応するＵＲＬ情報などを含むことができる。ＸＭＬデータは、掲示物の種類に応じて多様に変形され得る。
【００９０】
図１４及び図１５のようにＸＭＬフォーマットに変換された掲示物データは、段階Ｓ７０８で、コミュニティサーバに転送される。
【００９１】
（２）所定のプロセスを行った後に出力されるデータを転送する場合
図１３は、本発明の別の実施形態による、関心コンテンツ情報を抽出してコミュニティサーバに提供する過程の順序図であって、検索コンテンツを要請する場合を示す図面である。
【００９２】
図１３を参照すると、段階Ｓ７５０で、ウェブサーバ（ここでは、検索サーバである）は、コミュニティサーバから関心コンテンツ要請情報を受信する。上述のように、ウェブサーバは関心コンテンツ要請情報のヘッダ情報を通じて、コミュニティホームページに挿入する関心コンテンツを要請するパケットであると確認する。
【００９３】
段階Ｓ７５２で、ウェブサーバは、関心コンテンツ要請情報に含まれている検索カテゴリ及び検索キーワードを用いて検索を行い、検索結果を出力する。
【００９４】
段階Ｓ７５４で、ウェブサーバは、出力された検索結果のうち、転送する検索結果の個数及びフィールドを選択する。上述のように、検索結果の個数及びフィールドは既に設定されていてもよいし、これと異なって、関心コンテンツ要請情報に含まれた窓の大きさの情報を用いて転送する検索結果の個数及びフィールドを流動的に決定することもできる。
【００９５】
転送する検索結果データ及びフィールドが決定されると、段階Ｓ７５６で、選択されたデータを図１４及び図１５のようなフォーマットのＸＭＬデータに変換する。段階Ｓ７５８で、変換されたデータはコミュニティサーバに転送される。検索データの場合、管理者の設定情報に応じてコミュニティサーバが要請したものであるので、ウェブサーバは転送する変換情報のヘッダ情報にどのコミュニティホームページの要請に対するコンテンツデータであるかを確認するためのコミュニティアイディ情報を含ませる。
【００９６】
＜５．使用者からのコミュニティホームページの要請がある時、受信した関心コンテンツデータをホームページに挿入して提供する方式に対する実施形態＞
（１）管理者の設定情報を参照しないで関心コンテンツを要請した場合
図１６は、管理者の設定情報を参照しないで関心コンテンツを要請した場合の関心コンテンツデータをコミュニティホームページに挿入する過程に対する順序図である。
【００９７】
図１６を参照すると、段階Ｓ９００で、コミュニティサーバはウェブサーバから関心コンテンツデータを受信し、段階Ｓ９０２で、受信した関心コンテンツデータをメモリに常駐させる。上述のように、関心コンテンツデータに迅速にアクセスしてコミュニティホームページに挿入するために、受信された関心コンテンツデータはコミュニティサーバメモリに常駐される。
【００９８】
使用者からのコミュニティホームページの要請情報を受信した場合、コミュニティサーバは、使用者が要請したコミュニティホームページの管理者設定情報を読む。当該コミュニティホームページの管理者設定情報を読んだコミュニティサーバは、段階Ｓ９０６で、管理者が設定した掲示板に該当するデータをメモリから抽出する。管理者が設定することができる関心コンテンツを一括的に、管理者の設定情報を参照しないで、要請してメモリに保存した場合であって、実際のコミュニティホームページの構成時に、管理者の設定情報に応じて該当するデータを選択し抽出することになる。メモリからデータを選択して抽出する際に、該当する掲示板のすべてのデータを抽出することではなく、関心コンテンツが挿入される窓の大きさを考慮して、関心コンテンツの窓に挿入される掲示物の個数及び掲示物のフィールドを決定した後、該当するデータのみを抽出することが好ましい。
【００９９】
段階Ｓ９０８で、コミュニティサーバは抽出されたデータを用いて関心コンテンツを既に設定されている大きさのＨＴＭＬデータに変換する。
【０１００】
関心コンテンツをＨＴＭＬデータに変換した後、段階Ｓ９１０で、コミュニティサーバは変換されたＨＴＭＬデータを既に設定されているホームページフォーマットに挿入して使用者クライアントに転送する。
【０１０１】
（２）管理者の設定情報を参照して関心コンテンツを要請した場合
図１７は、管理者の設定情報を参照して、関心コンテンツを要請した場合、関心コンテンツデータをコミュニティホームページに挿入する過程に対する順序図である。
【０１０２】
図１７を参照すると、段階Ｓ９５０で、コミュニティサーバはウェブサーバから関心コンテンツデータを受信し、段階Ｓ９５２で、受信した関心コンテンツデータをメモリに常駐させる。各コミュニティホームページの管理者設定情報に相応する関心コンテンツ情報が受信されるので、コミュニティサーバは各コミュニティホームページ別に割り当てられたメモリ領域に受信された関心コンテンツデータを常駐させることが好ましい。
【０１０３】
使用者からコミュニティホームページの要請情報を受信した場合、段階Ｓ９５６で、コミュニティサーバは、当該コミュニティホームページに対する関心コンテンツデータが保存されているメモリ領域にアクセスする。
【０１０４】
段階Ｓ９５８で、コミュニティサーバは当該メモリ領域に保存されているＸＭＬフォーマットのデータをＨＴＭＬデータに変換する。ウェブサーバから関心コンテンツの挿入される窓の大きさを考慮しないで関心コンテンツが転送された場合、メモリに保存されたデータのうち、窓に挿入できる一部のデータのみをＨＴＭＬフォーマットに変換することが好ましい。
【０１０５】
関心コンテンツのＨＴＭＬデータへの変換後、段階Ｓ９６０で、コミュニティサーバは変換されたＨＴＭＬデータを、既に設定されているホームページフォーマットに挿入して使用者クライアントに転送する。
【０１０６】
＜６．コミュニティサーバ及びウェブサーバのモジュール構成に対する実施形態＞
図１８は、本発明の好ましい一実施形態によるコミュニティサーバのモジュール構成を示すブロック図である。
【０１０７】
図１８に示すように、本発明の一実施形態によるコミュニティサーバは、関心コンテンツ設定インタフェースモジュール１０００、関心コンテンツ要請情報転送モジュール１００２、関心コンテンツ更新制御モジュール１００４、関心コンテンツ保存制御モジュール１００６及びＨＴＭＬ編集モジュール１００８を含むことができる。
【０１０８】
関心コンテンツ設定インタフェースモジュール１０００は、コミュニティホームページの管理者が関心コンテンツを設定できるインタフェースウェブページを、提供する。関心コンテンツ設定インタフェースモジュール１０００は、図４及び図５に示したような設定インタフェースウェブページを生成して管理者に提供する。上述のように、関心コンテンツとして要請できる掲示板の情報はデータベースに保存されるし、関心コンテンツ設定インタフェースモジュールはデータベースに保存された情報を用いてウェブページを生成し、管理者が掲示板を選択できるようにする。
【０１０９】
関心コンテンツ要請情報転送モジュール１００２は、関心コンテンツの要請情報を生成してこれをウェブサーバに転送する。既に設定した掲示板の内容のみを関心コンテンツとして提供する場合、関心コンテンツ要請情報転送モジュール１００２は管理者の設定情報を参照しないで、該当するウェブサーバなどに関心コンテンツ要請情報を転送する。しかし、検索結果のように所定のプロセスを行った後に出力される結果などを関心コンテンツとして挿入する場合には、管理者の設定情報に相応する関心コンテンツ要請情報を生成して該当するウェブサーバに転送する。関心コンテンツ要請情報のパケット構造は、図８乃至図１１で説明したとおりである。
【０１１０】
関心コンテンツ更新制御モジュール１００４は、関心コンテンツ要請情報転送モジュール１００２が既に設定されている時間間隔で関心コンテンツ要請情報をウェブサーバなどに転送するように制御する。
【０１１１】
関心コンテンツ保存制御モジュール１００６は、複数のウェブサーバから転送される関心コンテンツをコミュニティサーバメモリに保存する。管理者の設定情報を参照して各コミュニティホームページ別に関心コンテンツを要請した場合、関心コンテンツ保存制御モジュール１００６は既に設定されているメモリの領域に各コミュニティホームページの関心コンテンツデータを保存する。
【０１１２】
ＨＴＭＬ編集モジュール１００８は、メモリに常駐する関心コンテンツデータをコミュニティホームページに挿入するために、ＨＴＭＬフォーマットのデータに変換する。ＨＴＭＬ編集モジュール１００８は、関心コンテンツの内容にハイパーリンクを設定して、使用者が当該内容をクリックすると、詳細な内容を提供しているウェブページに移動できるようにＨＴＭＬページを編集する。
【０１１３】
図１９は、本発明の好ましい一実施形態によるコンテンツウェブサーバのモジュール構成を示すブロック図である。
【０１１４】
図１９に示すように、本発明の好ましい一実施形態によるコンテンツウェブサーバは関心コンテンツ要請情報分析モジュール１１００、関心コンテンツ抽出モジュール１１０２、データ変換モジュール１１０４及び関心コンテンツ転送モジュール１１０６を含むことができる。
【０１１５】
図１９によると、関心コンテンツ要請情報分析モジュール１１００は、関心コンテンツ要請情報を受信した後、ヘッダ情報を通じてコミュニティホームページに挿入する関心コンテンツを要請していることを確認し、どのような種類の関心コンテンツを要請しているのかを判断する。関心コンテンツ要請情報分析モジュール１１００は、掲示板のように既にデータベースに保存されているデータを要求しているのか、または検索のように所定のプロセスを行った後に出力されるデータを要求しているのかを判断して、判断結果に応じて関心コンテンツ抽出モジュール１１０２に制御情報を出力する。掲示板のように既に保存されているデータを要求する場合、関心コンテンツ要請情報分析モジュール１１００は、掲示板の固有アイディ情報を関心コンテンツ抽出モジュール１１０２に出力し、検索結果を要求する場合には、検索カテゴリ及びキーワード情報を関心コンテンツ抽出モジュール１１０２に提供する。
【０１１６】
関心コンテンツ抽出モジュール１１０２は、関心コンテンツ要請情報分析モジュール１１００の出力情報に応じて要請された関心コンテンツデータを抽出する。掲示板のように既に保存されているデータの場合、掲示板の固有アイディに相応する掲示板の情報をデータベースから抽出する。検索データの場合、検索カテゴリ及び検索キーワード情報を用いて検索し、これを抽出する。上述のように、既に設定されている個数及びフィールドのデータのみを抽出することもでき、大きさの情報に応じて個数及びフィールドを流動的に調節することもできる。
【０１１７】
データ変換モジュール１１０４は、関心コンテンツとして転送するデータをＸＭＬフォーマットの文書に変換する。
【０１１８】
関心コンテンツ転送モジュール１１０６は、変換されたＸＭＬフォーマットの関心コンテンツをコミュニティサーバに転送する。
【産業上の利用可能性】
【０１１９】
上述したように、本発明の好ましい実施形態によれば、コミュニティホームページ会員がコミュニティホームページを通じて、会員同士が作成した資料以外にも外部ウェブサーバから提供される最新コンテンツを見ることができるという長所がある。
【０１２０】
また、コミュニティホームページを通じてコミュニティの主題に係る最新情報または検索結果を見ることができるので、使用者のコミュニティの利用をより活性化することができるという長所がある。
【０１２１】
以上、本発明の好ましい実施形態を添付した図面を参照して説明したが、上述の実施形態または図面は、本発明を説明するためのものであって、本発明の権利範囲を限定するものではない。本発明の範囲は特許請求の範囲に準じて解釈されるべきである。
【符号の説明】
【０１２２】
２００ コミュニティサーバ
２０２、２０４、２０６ コンテンツウェブサーバ
２０８ コミュニティデータベース
２１０ クライアント
【図１】
2010134943.tif 000003
【図２】
2010134943.tif 000004
【図３】
2010134943.tif 000005
【図４】
2010134943.tif 000006
【図５】
2010134943.tif 000007
【図６】
2010134943.tif 000008
【図７】
2010134943.tif 000009
【図８】
2010134943.tif 000010
【図９】
2010134943.tif 000011
【図１０】
2010134943.tif 000012
【図１１】
2010134943.tif 000013
【図１２】
2010134943.tif 000014
【図１３】
2010134943.tif 000015
【図１４】
2010134943.tif 000016
【図１５】
2010134943.tif 000017
【図１６】
2010134943.tif 000018
【図１７】
2010134943.tif 000019
【図１８】
2010134943.tif 000020
【図１９】
2010134943.tif 000021